(57)【要約】【課題】  操作が簡略化されたインターホンシステムを提供する。【解決手段】  子器１において呼出釦１２ａが押操作されたときに、親機２において、子器１で広角レンズを介して撮像された画像であって液晶パネル２４ａに表示可能な表示可能範囲の一部である拡大範囲を拡大して液晶パネル２４ａに表示する拡大表示が開始される。拡大表示を開始させるための特別な操作を必要とする場合に比べ、操作が簡略化される。【選択図】図１
2008177865.tif 000002
【特許請求の範囲】
【請求項１】
室内に設置される親機と室外に設置される子器とからなるインターホンシステムであって、
子器は、
親機との間で電気信号を送受信する通信部と、
撮像を行うとともに撮像された画像を通信部を介して親機に送信される画像信号に変換する撮像部と、
来訪者によって押操作される呼出釦を有して呼出釦が押操作されたときに所定の呼出信号を通信部を介して親機へ出力する呼出部とを備え、
親機は、
子器との間で電気信号を送受信する通信部と、
操作入力を受け付ける操作部と、
通信部を介して子器から受信された画像信号を用いて子器の撮像部で撮像された画像を表示する表示部とを備え、
子器と親機との一方は、撮像部によって撮像されて表示部に表示可能な範囲の一部である拡大範囲が格納される記憶部を備え、
親機は、通信部に呼出信号が受信されたときに、表示部を制御し、記憶部に格納された拡大範囲を画像信号を用いて表示する拡大表示を開始させる制御部を備えることを特徴とするインターホンシステム。
【請求項２】
記憶部は書き換え可能な不揮発性メモリからなり、
親機と子器との少なくとも一方は、拡大範囲を設定するための設定手段を有し、
親機の制御部は、設定手段によって拡大範囲が設定されたときに記憶部に格納された拡大範囲を設定された拡大範囲に更新することを特徴とする請求項１記載のインターホンシステム。
【請求項３】
親機の操作部は、設定手段として、拡大範囲が設定される設定モードへの移行と設定モードからの復帰とを指示する操作入力を受け付ける切換手段と、設定モード中に拡大範囲を選択する操作入力を受け付ける選択手段とを有し、
親機の制御部は、設定モードでないときに切換手段に所定の操作入力が受け付けられたときに設定モードに移行し、
設定モードでは、画像信号を用いて表示可能な範囲の全体の画像に拡大範囲を示すポインタが加えられた画像を表示部に表示させ、選択手段への操作入力に応じてポインタを移動させ、切換手段に所定の操作入力が受け付けられたときに設定モードから復帰するとともに記憶部に格納された拡大範囲をポインタによって示された拡大範囲に更新することを特徴とする請求項２記載のインターホンシステム。
【請求項４】
子器は、設定釦を有して設定釦が押操作されたときに通信部を介して親機に所定の設定信号を送信する設定手段としての設定部を備え、
親機の制御部は、通信部に設定信号が受信されたときに、画像信号を用いて表示可能な範囲から移動物体を抽出し、移動物体が拡大範囲に含まれるように拡大範囲を更新することを特徴とする請求項２又は請求項３記載のインターホンシステム。
【発明の詳細な説明】
【技術分野】
【０００１】
本発明は、インターホンシステムに関するものである。
【背景技術】
【０００２】
従来から、室内に設置される親機と室外に設置されて親機との間で信号の送受信を行う子器とからなり、相互の通話のための通話部を親機と子器とのそれぞれに備えるとともに、例えばＣＣＤカメラを用いて撮像を行う撮像部を子器に備え、親機には例えば液晶パネルを用いて子器の撮像部で撮像された画像を表示する表示部を備えることにより、子器側にいる来訪者の顔を親機側で確認可能としたものがある。
【０００３】
子器周辺の状況を広範囲にわたって撮像するために、撮像部としては広角レンズを備えるものが一般に用いられるが、広角レンズを用いて撮像された範囲全体を表示すると、視野の広さのために画面全体の中で来訪者の顔が小さくなってしまう。そこで、親機への操作入力により上記画像の一部を拡大表示可能としたものが提供されている（例えば、特許文献１及び特許文献２参照）。この構成によれば、電子的なデータ処理によって画像を拡大しているので、撮像部においてレンズを機械的に駆動することにより画像の拡大を行う場合に比べ、故障が発生しにくく、また駆動の音による不快感を来訪者に与えることがないという利点がある。
【特許文献１】特開平６−３８２１４号公報
【特許文献２】特開平６−１１３３０４号公報
【発明の開示】
【発明が解決しようとする課題】
【０００４】
しかし、従来は、上記拡大表示を行うために親機への操作入力が毎回必要であり、操作が煩わしかった。
【０００５】
本発明は、上記事由に鑑みて為されたものであり、その目的は、操作が簡略化されたインターホンシステムを提供することにある。
【課題を解決するための手段】
【０００６】
請求項１の発明は、室内に設置される親機と室外に設置される子器とからなるインターホンシステムであって、子器は、親機との間で電気信号を送受信する通信部と、撮像を行うとともに撮像された画像を通信部を介して親機に送信される画像信号に変換する撮像部と、来訪者によって押操作される呼出釦を有して呼出釦が押操作されたときに所定の呼出信号を通信部を介して親機へ出力する呼出部とを備え、親機は、子器との間で電気信号を送受信する通信部と、操作入力を受け付ける操作部と、通信部を介して子器から受信された画像信号を用いて子器の撮像部で撮像された画像を表示する表示部とを備え、子器と親機との一方は、撮像部によって撮像されて表示部に表示可能な範囲の一部である拡大範囲が格納される記憶部を備え、親機は、通信部に呼出信号が受信されたときに、表示部を制御し、記憶部に格納された拡大範囲を画像信号を用いて表示する拡大表示を開始させる制御部を備えることを特徴とする。
【０００７】
この発明によれば、子器の呼出釦が押操作されたときに拡大表示が開始されるから、拡大表示を開始させるための操作を必要とする場合に比べ、操作が簡略化される。
【０００８】
請求項２の発明は、請求項１の発明において、記憶部は書き換え可能な不揮発性メモリからなり、親機と子器との少なくとも一方は、拡大範囲を設定するための設定手段を有し、親機の制御部は、設定手段によって拡大範囲が設定されたときに記憶部に格納された拡大範囲を設定された拡大範囲に更新することを特徴とする。
【０００９】
この発明によれば、拡大範囲を柔軟に変更することができる。また、設定された拡大範囲が記憶部に保持されるから、同じ設定を何度も行う必要がない。
【００１０】
請求項３の発明は、請求項２の発明において、親機の操作部は、設定手段として、拡大範囲が設定される設定モードへの移行と設定モードからの復帰とを指示する操作入力を受け付ける切換手段と、設定モード中に拡大範囲を選択する操作入力を受け付ける選択手段とを有し、親機の制御部は、設定モードでないときに切換手段に所定の操作入力が受け付けられたときに設定モードに移行し、設定モードでは、画像信号を用いて表示可能な範囲の全体の画像に拡大範囲を示すポインタが加えられた画像を表示部に表示させ、選択手段への操作入力に応じてポインタを移動させ、切換手段に所定の操作入力が受け付けられたときに設定モードから復帰するとともに記憶部に格納された拡大範囲をポインタによって示された拡大範囲に更新することを特徴とする。
【００１１】
この発明によれば、拡大範囲を自由に選択することができる。また、設定モードにおいて選択された拡大範囲が画像上のポインタによって示されるから、例えば選択された拡大範囲が座標等の数値によって示される場合に比べて拡大範囲の設定が容易である。
【００１２】
請求項４の発明は、請求項２又は請求項３の発明において、子器は、設定釦を有して設定釦が押操作されたときに通信部を介して親機に所定の設定信号を送信する設定手段としての設定部を備え、親機の制御部は、通信部に設定信号が受信されたときに、画像信号を用いて表示可能な範囲から移動物体を抽出し、移動物体が拡大範囲に含まれるように拡大範囲を更新することを特徴とする。
【００１３】
この発明によれば、拡大範囲が自動的に決定されるから、拡大範囲を選択する操作を必要とする場合に比べて操作が簡略化される。また、拡大範囲の設定のタイミングが、子器に設けた設定釦の押操作によって決定されるので、使用者が子器の周囲の様子を直接確認してから設定釦を押操作することができる上に、設定釦を押操作した人間が移動物体として認識されることになるから、犬猫や通行人など来訪者以外の移動物体が拡大範囲の基準にされるような誤設定を避けやすい。
【発明の効果】
【００１４】
請求項１の発明によれば、子器の呼出釦が押操作されたときに拡大表示が開始されるから、拡大表示を開始させるための操作を必要とする場合に比べ、操作が簡略化される。
【００１５】
請求項２の発明によれば、設定手段によって拡大範囲を柔軟に変更することができる。また、設定された拡大範囲が記憶部に保持されるから、同じ設定を何度も行う必要がない。
【００１６】
請求項３の発明によれば、選択手段によって拡大範囲を自由に選択することができる。また、設定モードにおいて選択された拡大範囲が画像上のポインタによって示されるから、例えば選択された拡大範囲が座標等の数値によって示される場合に比べて拡大範囲の設定が容易である。
【００１７】
請求項４の発明によれば、移動物体を基準として拡大範囲が自動的に決定されるから、拡大範囲を選択する操作を必要とする場合に比べて操作が簡略化される。また、拡大範囲の設定のタイミングが、子器に設けた設定釦の押操作によって決定されるので、使用者が子器の周囲の様子を直接確認してから設定釦を押操作することができる上に、設定釦を押操作した人間が移動物体として認識されることになるから、犬猫や通行人など来訪者以外の移動物体が拡大範囲の基準にされるような誤設定を避けやすい。
【発明を実施するための最良の形態】
【００１８】
以下、本発明を実施するための最良の形態について、図面を参照しながら説明する。
【００１９】
本実施形態は、図２に示すように、室外に設置される子器１と、室内に設置されて２線式の信号線３を介して子器１に接続され子器１との間での通話が可能な親機２とからなる。子器１の電源は、例えば信号線３を介して親機２から供給される。
【００２０】
子器１は、親機２との間で信号線３を介して電気信号を送受信する通信部１１と、来訪者によって押操作される呼出釦１２ａを有して呼出釦１２ａが押操作されたときに所定の呼出信号を通信部１１と信号線３とを介して親機２へ出力する呼出部１２と、通信部１１と信号線３とを介した親機２との通話のための通話部１３と、広角レンズを用いて撮像された画像をデジタルデータである画像データに変換して画像データを示す電気信号である画像信号を通信部１１と信号線３とを介して親機２へ送信する撮像部１４とを備える。
【００２１】
親機２は、子器１との間で信号線３を介して電気信号を送受信する通信部２１と、使用者による操作入力を受け付ける操作部２２と、通信部２１と信号線３とを介した子器１との通話のための通話部２３と、信号線３と通信部２１とを介して子器から受信された画像信号から得られた画像データを画像に変換して表示する表示部２４と、信号線３と通信部２１とを介して子器１から受信された電気信号と操作部２２に受け付けられた操作入力とに応じて通話部２３と表示部２４とをそれぞれ制御するとともに子器１の通話部１３及び撮像部１４を制御するための制御信号を通信部２１と信号線３とを介して送信する制御部２５とを備える。制御部２５は、例えば、プログラムが予め格納されたメモリを有してこのメモリに格納されたプログラムに従って動作するマイコンからなる。
【００２２】
子器１と親機２とのそれぞれにおいて、通信部１１，２１は、具体的には例えば、信号線３との間でインピーダンスを整合させる周知のインピーダンス整合回路を備える。ここで、画像信号と音声信号と制御信号とは共通の信号線３を介して同時に送受信されるので、画像信号と音声信号と制御信号とが互いに干渉することを避けるために、少なくとも画像信号としては多重伝送のための例えば周波数変調のような周知の変調を経たものが用いられ、制御信号としては例えば通話部２３や表示部２４の電源を兼ねた直流電圧信号が用いられる。親機２の通信部２１は、制御部２５によって制御されて制御信号を生成する給電回路と、信号線３から受信された電気信号から画像信号と音声信号とを分離させる分波回路とを備える。子器１の通信部１１は、制御信号から通話部１３や撮像部１４の電源を生成する受電回路を備える。
【００２３】
子器１と親機２とのそれぞれにおいて、通話部１３，２３は、入力された音声を電気信号である音声信号に変換して該音声信号を通信部１１，２１と信号線３とを介して送信する送話回路（図示せず）と、信号線３と通信部１１，２１とを介して受信された音声信号を音声に変換する受話回路（図示せず）と、送話回路及び受話回路と通信部１１，２１との間に介在して送話回路から通信部１１，２１に入力される音声信号と通信部１１，２１から受話回路に入力される音声信号とを比較して信号レベル（すなわち音量）が低い方を減衰させ信号レベルが高いほうを増幅することにより通話方向を切り換える音声スイッチ（図示せず）とを備える。より具体的には、送話回路は、音声を電気信号である音声信号に変換するマイクロホンを有する。受話回路は、音声信号を音声に変換するスピーカを有する。
【００２４】
子器１の撮像部１４は、具体的には例えば広角レンズを介して画像が入力される撮像素子（図示せず）と、撮像素子の出力をデジタル変換して画像データを生成する変換回路（図示せず）と、変換回路の出力した画像データを多重伝送のために変調することにより画像信号を生成する変調回路とを有する。撮像素子としては、ＣＣＤ（Charge Coupled Device）型やＣＭＯＳ型のものを用いることができる。
【００２５】
親機２の表示部２４は、具体的には例えば図１に示すように親機２の前面の上端部に露出する液晶パネル２４ａと、子器１の撮像部１４から送信された画像信号を復調して得られた画像データを用いて液晶パネル２４ａを駆動し画像を表示させる駆動回路（図示せず）とを有する。また、画像信号の復調後には、広角レンズに起因する画像の歪みを平面的に補正する周知の歪補正が行われる。なお、歪補正は、子器１の撮像部１４において変調の前に行われるようにしてもよい。
【００２６】
次に、親機２の制御部２５の具体的な動作について説明する。制御部２５は、通常、撮像部１４や通話部１３，２３を停止させる待機モードとなっている。このとき子器１の呼出釦１２ａが押操作されると、子器１の呼出部１２は呼出信号を親機２に送信する。呼出信号は、例えば信号線３を構成する２線間の電位差を低下させるものである。親機２では、呼出信号が通信部２１に受信されると、制御部２５は、通話部１３，２３は停止させたままで撮像部１４と表示部２４とをそれぞれ始動させ撮像部１４による撮像と表示部２４による表示とをそれぞれ行わせる呼出モードに移行するとともに待機時間の計時を開始する。呼出モードでは、表示部２４は、図３（ａ）に示すように画像データに基づいて表示可能な範囲（以下、「表示可能範囲」と呼ぶ。）のうち所定の拡大範囲ＥＡを図３（ｂ）に示すように拡大して表示する拡大表示を行わせる。使用者は、表示部２４の表示を確認して通話を開始するか否かを決定する。通話を開始しない場合、放置すれば、待機時間が所定時間に達したときに制御部２５は待機モードに復帰する。通話を開始する場合、操作部２２が有し親機２の前面の下端部に露出する通話釦２２ａを押操作する。すると、制御部２５は、子器１及び親機２のそれぞれの通話部１３，２３を始動させて通話を可能とする通話モードに移行する。拡大範囲ＥＡは、呼出釦１２ａを押操作した人物の顔が入る可能性が高い範囲、具体的には例えば表示可能範囲の上端部であって左右方向の中央部とする。通話モードでは、通話釦２２ａが再度押操作されると制御部２５は待機モードに復帰する。
【００２７】
上記構成によれば、子器１において呼出釦１２ａが押操作されただけで親機２において拡大表示が開始され、拡大表示を開始させるための特別な操作入力を必要としないから、拡大表示を開始させるための操作入力を別途に要求する場合に比べて操作が簡略化される。
【００２８】
なお、拡大範囲ＥＡを固定とする代わりに、操作部２２への操作入力によって任意に設定可能としてもよい。この場合、表示部２４が有して拡大範囲ＥＡが格納される記憶部としてのメモリには例えばＥＥＰＲＯＭのような書き換え可能な不揮発性メモリを用い、拡大範囲ＥＡが設定される都度に更新されるようにすれば、同じ設定を繰り返す手間が省けるから望ましい。具体的には、拡大範囲ＥＡが設定される設定モードへの切り換えを指示する操作入力を受け付ける切換手段と、設定モード中に拡大範囲ＥＡを選択する操作入力を受け付ける選択手段とをそれぞれ操作部２２に設ける。設定モードでは、制御部２５は表示部２４を制御し、表示可能範囲の全体を表示した画像に、拡大表示時に表示される範囲を示すポインタを加えた画像を表示させる。使用者が選択手段によってポインタを移動させてから切換手段を再度操作すると、制御部２５は、拡大範囲ＥＡをポインタが示す範囲に変更するとともに、設定モードに移行する前のモードに復帰する。上記ポインタは、例えば選択された拡大範囲ＥＡを囲む長方形状である。切換手段や選択手段としては例えば、親機２の前面において液晶パネル２４ａの下側に左右に並べて設けた設定釦２２ｂ〜２２ｅを用いることができる。設定釦２２ｂ〜２２ｅを右から第１の切換釦２２ｂ、第１の選択釦２２ｃ、第２の選択釦２２ｄ、第２の切換釦２２ｅと呼び、動作の具体例について説明する。まず、使用者が第１の切換釦２２ｂを押操作すると、制御部２５は、表示部２４の制御により現在時刻やズーム位置といった各種の設定項目を液晶パネル２４ａに表示させ、各選択釦２２ｃ，２２ｄの押操作による設定項目の選択を受け付ける項目選択モードに切り換わる。項目選択モードにおいて使用者が設定項目としてズーム位置を選択した上で第１の切換釦２２ｂを再度押操作すると、制御部２５は、表示部２４を制御して図４に示す画面ＳＳ１のように表示可能範囲の全体の画像に拡大範囲ＥＡを囲む長方形状のポインタＰが加えられた画像を表示させるズーム位置確認モードに切り換わる。そして、ズーム位置確認モードにおいて使用者が第２の切換釦２２ｄを押操作すると、制御部２５は画面ＳＳ２〜ＳＳ５に示すように各選択釦２２ｃ，２２ｄ及び第１の切換釦２２ｄへの操作入力に応じて表示部２４を制御しポインタＰを移動させる設定モードに切り換わる。設定モードにおいては、各選択釦２２ｃ，２２ｄの押操作によって上下方向又は左右方向へのポインタＰの移動がなされる。設定モードにおいて、選択釦２２ｃ，２２ｄによるポインタの移動方向がＳＳ２，ＳＳ４に示すように上下方向かＳＳ３，ＳＳ５に示すように左右方向かは、第１の切換釦２２ｂが押操作される度に択一的に切り換えられる。使用者がポインタＰを所望の位置に移動させた後に第２の切換釦２２ｅを押操作すれば、制御部２５はズーム位置確認モードに戻り、さらにズーム位置確認モードにおいて使用者が第１の切換釦２２ｂを押操作すれば、制御部２５は項目選択モードに切り換わる以前の動作モードに復帰する。項目選択モードやズーム位置確認モードや設定モードにおいて、制御部２５は、液晶パネル２４ａの下端部であって各設定釦２２ｂ〜２２ｅの上側に、それぞれ設定釦２２ｂ〜２２ｅの機能を表示させる。上記の具体例においては、各切換釦２２ｂ，２２ｅが切換手段を構成し、各選択釦２２ｃ，２２ｄ及び第１の切換釦２２ｂが選択手段を構成している。上記構成によれば、設定モードにおいて選択された拡大範囲ＥＡが液晶パネル２４ａの画像上のポインタＰによって示されるから、例えば選択された拡大範囲ＥＡが座標等の数値によって示される場合に比べて拡大範囲ＥＡの設定が容易である。
【００２９】
または、上記のような設定モードや切換手段を特に設けずに選択手段のみを設け、選択手段が操作されたときに制御部２５が表示部２４の画像をスクロールさせる形で拡大範囲ＥＡを変更する構成としてもよい。この場合、制御部２５が少なくとも拡大範囲ＥＡの移動中には表示部２４を制御して表示可能範囲の中で拡大範囲ＥＡがどの位置にあるかを液晶パネル２４ａに表示させることが望ましい。具体的には例えば、表示可能範囲を示す長方形の内側に拡大範囲ＥＡを示す長方形が描かれたマークを、液晶パネル２４ａの右下隅に表示する。
【００３０】
操作入力によって拡大範囲ＥＡを設定可能とする上記構成のいずれかを採用すれば、拡大範囲ＥＡを自由に変更可能となる。
【００３１】
また、周知の画像処理技術を用い、拡大範囲ＥＡが自動的に決定されるようにしてもよい。例えば、設定釦を有して設定釦が押操作されたときに所定の設定信号を通信部１１を介して親機２に送信する設定部（図示せず）を子器１に設ける。また、制御部２５は待機モードにおいて画像における物体の移動を判定して監視し、設定信号が通信部２１に受信されたとき、移動した物体であると判定されている領域を含むように拡大範囲ＥＡを選択して更新する。この構成を採用すれば、拡大範囲ＥＡが柔軟に変更され、かつ、拡大範囲ＥＡを選択する手間がかからない。また、拡大範囲ＥＡの選択を行うタイミングが子器１に設けた設定釦の押操作によって決定されるので、使用者が子器１の周囲の状況を直接見てから設定釦を押操作することができる上に、設定釦を押操作した使用者が移動物体として認識されることになるから、犬猫や通行人など来訪者以外の移動物体が拡大範囲ＥＡの基準にされるような誤設定を避けやすい。
【００３２】
さらに、拡大範囲ＥＡを親機２の表示部２４のメモリに格納する代わりに、拡大範囲ＥＡが格納される記憶部を子器１に設け、親機２の制御部２５が通信部２１を介して子器１の記憶部にアクセスする構成としてもよい。この場合、拡大範囲ＥＡのみが表示される期間には制御部２５の制御により拡大範囲ＥＡのみの画像信号が子器１から送信されるようにしてもよい。
【図面の簡単な説明】
【００３３】
【図１】本発明の実施形態を示す概略構成図である。
【図２】同上を示すブロック図である。
【図３】（ａ）（ｂ）はそれぞれ同上の動作を示し、（ａ）は表示可能範囲の全体を表示した画像の例を示し、（ｂ）は拡大表示時の画像の例を示す。
【図４】拡大範囲が設定される際の同上の動作の一例を示す説明図である。
【符号の説明】
【００３４】
１  子器
２  親機
１１，２１  通信部
１２  呼出部
１２ａ  呼出釦
１４  撮像部
２２  操作部
２２ｂ〜２２ｅ  設定釦（請求項における切換手段及び選択手段）
２４  表示部
２４ａ  液晶パネル
２５  制御部
ＥＡ  拡大範囲
Ｐ  ポインタ
【図１】
2008177865.tif 000003
【図２】
2008177865.tif 000004
【図３】
2008177865.tif 000005
【図４】
2008177865.tif 000006